(57)【要約】【課題】 弾性と耐摩耗製に優れ使用者の長期間の使用にも耐えうる輪ゴムを、頭髪の結束用、包装袋の留め具用など、使用者の意図に応じて適宜色別の輪ゴムを取り出すことができるための容器に収容する。【解決手段】白及び黒に着色された二種類の輪ゴムが同数量ずつ容器に収容されている容器入り輪ゴムにおいて、前記容器1は仕切部10により仕切られた左右2つの収納室A，Bを有し、前記白及び黒に着色された輪ゴムが、色別に、収納室に収納されており、食品パック包装用、家庭台所用、雑務用旅行携帯用、髪用、おしゃれ用の何れかを用途とすることを特徴とする用途別容器入り白黒着色輪ゴム、或いは、白及び黒に着色された二種類の輪ゴムを、白色輪ゴムが全体の4/5量、黒色輪ゴムを全体の1/5量となるように容器に収容し、その用途が陳列されたお総菜食品用であることを特徴とする、用途別容器入り白黒着色輪ゴム。【選択図】  図１
0003132130.tif 000002
【実用新案登録請求の範囲】
【請求項１】
白及び黒に着色された二種類の輪ゴムが同数量ずつ容器に収容されている容器入り輪ゴムにおいて、前記容器は仕切部により仕切られた左右２つの収納室を有し、前記白及び黒に着色された輪ゴムが、色別に、収納室に収納されており、食品パック包装用、家庭台所用、雑務用旅行携帯用、髪用、おしゃれ用の何れかを用途とすることを特徴とする用途別容器入り白黒着色輪ゴム。
【請求項２】
白及び黒に着色された二種類の輪ゴムを、白色輪ゴムが全体の４／５量、黒色輪ゴムを全体の１／５量となるように容器に収容し、その用途が陳列されたお総菜食品用であることを特徴とする、用途別容器入り白黒着色輪ゴム。
【考案の詳細な説明】
【技術分野】
【０００１】
本考案は、包装の止め具や頭髪を機敏に結ぶために用いる輪ゴム及びそれを収容するための容器に関する。
【背景技術】
【０００２】
従来、例えば頭髪を結束するための輪ゴムは、長尺のゴム芯入り組紐を所定の長さに切断し、両端を繋ぎ合わせてリング状にしたものが広く用いられている。また、このようなゴム芯入り組み紐からなるリングは、繋ぎ合わせた部分が盛り上がり、美感を損ねるという問題があり、盛り上がりを形成させないために、例えば下記特許文献１（特開平８−３０８６２８号公報）に記載されるように両端を接着させたゴム芯入り組み紐リングも提供されている。
しかしながら、これらのゴム芯入り組み紐リングは、組み紐部分にポリウレタン等の伸縮性のある糸が使用されているが、この組み紐により本来のゴム芯の伸縮性が失われるという問題があった。すなわち、ゴム芯部分は、その外皮の組み紐部分よりも伸縮性が高いが、外皮（組み紐部分）の伸縮性がゴム芯部分に比べて劣っているため、輪ゴム全体としては伸縮性に欠けるものとなる、という問題点を有していた。
【０００３】
一方で、外皮を有しないゴム芯部分のみからなる輪ゴム、いわゆる通常の輪ゴムは、一般にゴム本来の色である黄土色を呈し、高い伸縮性を有している。しかしながら、従来の黄土色等の輪ゴムでは、頭髪を結束した場合に頭髪の色となじまず、見栄えが悪く不都合であるという問題を有していた。
【特許文献１】特開平８−３０８６２８号公報
【考案の開示】
【考案が解決しようとする課題】
【０００４】
本考案は、かかる不都合を解消して、伸縮性に富んだ、頭髪の結束や包装袋の止め具等に使用するための着色輪ゴム、及びそれを使用するための容器を提供するものである。
【課題を解決するための手段】
【０００５】
かかる目的を達成するために、本考案の用途別容器入り白黒着色輪ゴムは、白及び黒に着色された二種類の輪ゴムが同数量ずつ容器に収容されている容器入り輪ゴムにおいて、前記容器は仕切部により仕切られた左右２つの収納室を有し、前記白及び黒に着色された輪ゴムが、色別に、収納室に収納されており、食品パック包装用、家庭台所用、雑務用旅行携帯用、髪用、おしゃれ用の何れかを用途とすることを特徴とする。
あるいは、白及び黒に着色された二種類の輪ゴムを、白色輪ゴムが全体の４／５量、黒色輪ゴムを全体の１／５量となるように容器に収容し、その用途が陳列されたお総菜食品用であることを特徴とする。
【考案の効果】
【０００６】
本考案の容器入り着色輪ゴムによれば、頭髪の結束用、包装袋の留め具用など、使用者の意図に応じて適宜色別の輪ゴムを取り出すことができ、また前記輪ゴムは弾性と耐摩耗性に優れたものであり、使用者の長期間の使用にも耐えうる。
本考案に使用される輪ゴムにおいては、黒色輪ゴムは、頭髪の結束用その他に使用可能である。また白色輪ゴムは、例えばデパートやスーパーのお総菜売り場の高級食材のプラスティック容器を留める等の用途に使用した場合、清潔感があり消費者の購買意欲を増進し、非常に好適である。現在、これらの容器は黄土色の輪ゴムで留められているが、白色輪ゴムにした方が清潔感が増し、特に食品には適している。
【考案を実施するための最良の形態】
【０００７】
本考案の容器入り着色輪ゴムは、２種類（白と黒）の色に着色された輪ゴムが、同数量ずつ、色別に、容器の収容室に収容されていることを特徴とする。前記容器は、収容室内に設けられた仕切部により仕切られ、左右２つの収容室を有している。
或いは、白及び黒に着色された二種類の輪ゴムを、白色輪ゴムが全体の４／５量、黒色輪ゴムを全体の１／５量となるように容器に収容したことを特徴とする。
【０００８】
本考案に使用される輪ゴムとしては、一般的に広く使用されている輪ゴムを使用することができる。材料としては、天然ゴムの他、合成ゴムも使用することができる。弾性及び耐磨耗性など機械的強度が大きいゴムであれば特に制限はないが、合成ゴムの具体例としては、イソプレンゴム、ブタジエンゴム、スチレンブタジエンゴム、クロロプレンゴム、アクリロニトリルブタジエンゴム等のジエン系ゴム、或いは、ブチルゴム、エチレンプロピレンゴム、ウレタンゴム、シリコーンゴム、クロロスルフォン化ゴム、塩素化ポリエチレン、アクリルゴム、エピクロルヒドリンゴム、フッ素ゴム等の非ジエン系ゴムを使用することができる。
【０００９】
これらの輪ゴムは、２種類（白と黒）の色に着色されていることが好ましい。通常、天然ゴムからなる輪ゴムは本来の色である黄土色を呈しているが、色素等により着色することが、本考案の目的を達成するために好ましい。具体的には、頭髪の色になじませるため、或いは、広い用途を持たせるために、白と黒の２色に着色することが好ましく、これらは、例えばそれぞれ二酸化チタン、カーボンブラックを輪ゴム製造時に添加することによって着色できる。その他、使用者の用途によって、赤・青・緑など、様々な色に着色することが可能であるが、しかし、白色と黒色が一番用途が広く生活になじみやすい。
【００１０】
ゴムの着色に使用できる顔料としては一般に用いられている物を適宜使用することができるが、白色顔料としては亜鉛華、鉛白、リトポン、二酸化チタン、黒色顔料としてはカーボンブラック、を各々使用することが可能である。ちなみに、赤色顔料としては場鉛丹、弁柄、黄色顔料としては黄鉛（クロムイエロー）、亜鉛黄（ジンククロメート、ジンクイエロー）、青色顔料としては群青（ウルトラマリン）、紺青（プルシアンブルー）、を各々使用することが可能である。
【００１１】
次に、前記輪ゴムを収容するための容器について説明する。輪ゴムを収容するための容器の材質としては特に制限はなく、紙、プラスチック、木、金属等、あらゆる素材を用いることができる。紙製、木製等の場合、製造が簡易であるが、例えば透明プラスチックにすることも、第２選択肢とすれば、内容物の残量等が確認できるため好ましい。
【００１２】
容器としては蓋付きのものが好ましいが、蓋と容器が一体となっているものであっても良い。この場合、容器の天井部には輪ゴムを取り出すための開口部が設けられていることが好ましい。開口部は輪ゴムの大きさよりも適宜小さいことが、容器を倒したとしても輪ゴムが大量に飛び出さないため好ましいが、開口部の大きさが特に制限されるものではない。
【００１３】
前記容器の形状には特に制限はないが、一番手に取りやすい直方形が好ましい。
前記容器には、輪ゴムを収容するための収容室内に仕切部が設けられており、該仕切部によって収容室が仕切られた結果、２種類（白と黒）の輪ゴムを収容するための左右２つの収容室を有している。前記仕切部は容器の底部から天井部にかけて全体的に容器を分断するものであることが、白黒２色の輪ゴムが混ざらない点から好ましい。
【００１４】
仕切部の設け方としては、使用者の必要に応じて設けることが可能であるが、例えば容器底面が正四角形の角柱の容器を用いる場合、底面の四角形の向かい合う辺の中点を結ぶように一本の仕切部を設けた場合、容器は２つに分断され、２つの収容室が形成される。この場合、最大で２種類の着色輪ゴムを色別に収容することができる。
【００１５】
なお、容器に仕切部を設けず、白色輪ゴムと黒色輪ゴムとが混ざった状態で容器に収容することも、用途によっては好ましい。
【実施例】
【００１６】
以下、図を用いて本考案を更に詳細に説明するが、本考案はこれらの実施例に限られるものではない。
【００１７】
図１及び図２は、本考案の実施形態を示す図である。
図１に示す容器１は、横１０４ミリメートル、縦７４ミリメートル、深さ３６ミリメートルであり、その用途は、食品パック包装用、家庭台所用、雑務用である。紙製又は透明プラスチック製の直方体形状の容器１は、底面１２の向かい合う長い辺１４，１５の中点Ｐ，Ｑを結ぶ垂直な仕切部１０により仕切られた、収容室Ａおよび収容室Ｂを有している。すなわち、容器１の真ん中で仕切られた収納室Ａ及び収納室Ｂは、それぞれ、横５２ミリメートル、縦７４ミリメートル、深さ３６ミリメートルである。前記収容室Ａ，Ｂはそれぞれ等しい容量を有しており、その内部には、白および黒に着色された輪ゴムＭ，Ｎが同数量ずつ収容されている。輪ゴムＭ，Ｎは直径約５ｃｍ、幅および高さは約１ｍｍであり、その材質は天然イソプレンゴムである。
【００１８】
図１に示す実施形態において、輪ゴムＭ，Ｎを容器１から取り出すためには、容器１の天井部１８に設けられた開口部１１１および１１２から使用者が指を差し入れて輪ゴムＭ，Ｎを指に引っかけて取り出すことができる。あるいは、別途、図示しないフック形状の取り出し具を用いて取り出すことも可能である。
開口部１１１及び１１２は、容器１の天井部１８の中心部に設けられており、それぞれの直径は２６ミリメートルである。
【００１９】
図２に示す容器２は、横６０ミリメートル、縦３０ミリメートル、深さ２０ミリメートルであり、図１に示す容器１よりも小さく、その用途は、旅行携帯用、髪用、おしゃれ用である。容器２は、紙製又は透明プラスチック製であり、底面２２の向かい合う長い辺２４，２５の中点Ｐ’，Ｑ’を結ぶ垂直な仕切部２０により仕切られた、収容室Ａ’および収容室Ｂ’を有している。すなわち、容器２の真ん中で仕切られた収納室Ａ’及び収納室Ｂ’は、それぞれ、横３０ミリメートル、縦３０ミリメートル、深さ２０ミリメートルである。前記収容室Ａ’，Ｂ’はそれぞれ等しい容量を有しており、その内部には、白および黒に着色された輪ゴムＭ，Ｎが同数量ずつ収容されている。開口部２１１及び２１２は、容器２の天井部２８の中心部に設けられており、それぞれの直径は１６ミリメートルである。
【００２０】
なお、図３に示す容器３は、図１に示す容器１と同じ大きさで、横１０４ミリメートル、縦７４ミリメートル、深さ３６ミリメートルであり、その用途は、陳列されたお総菜食品用である。容器３内には、黒色輪ゴムＭ”が全体の１／５量、及び白色輪ゴムＮ”が全体の４／５量収容されている。１つの開口部３１１が容器３の天井部３８の中心部に設けられており、その直径は２６ミリメートルである。容器３には、白色輪ゴム及び黒色輪ゴムが区別されず混ざった状態で収容されている。清潔感のある白色輪ゴムが全体の輪ゴムの４／５量であり殆どを占めるため、この容器入り着色輪ゴムはデパートの地下食料品売り場等の高級食品売り場で重宝される。
【産業上の利用可能性】
【００２１】
以上述べたとおり、本考案の容器入り着色輪ゴムによれば、弾性および耐摩耗性に優れた着色輪ゴムを、頭髪の結束用、包装袋の留め具用など、使用者の意図に応じて的確に取り出すことができ好都合である。また、色別に白黒２色の輪ゴムが同数量ずつ容器に収容されているため、用途によって使い分けることができ好適である。あるいは、清潔感のある白色輪ゴムを黒色輪ゴムより多く収容しているため、例えばデパートの地下食料品売り場等の高級食品売り場で好適に用いられる。
【図面の簡単な説明】
【００２２】
【図１】本考案の第１の実施形態を示す図である。
【図２】本考案の第２の実施形態を示す図である。
【図３】本考案の第３の実施形態を示す図である。
【符号の説明】
【００２３】
１，２，３      容器
１０，２０    仕切部
１１１，２１１，３１１  開口部
１１２，２１２  開口部
１２，２２    底面
１４，２４    辺
１５，２５    辺
１８，２８，３８    天井部
Ｐ，Ｐ’      中点
Ｑ，Ｑ’      中点
Ａ，Ａ’      収容室
Ｂ，Ｂ’      収容室
Ｍ，Ｍ”，Ｎ，Ｎ”        輪ゴム
【図１】
0003132130.tif 000003
【図２】
0003132130.tif 000004
【図３】
0003132130.tif 000005